(57)【特許請求の範囲】
【請求項１】
プラグ部を有する密閉型記録媒体を着脱可能に収容する記録媒体収容部と、
前記記録媒体収容部に相対向して配され、前記密閉型記録媒体の着脱のとき、該密閉型記録媒体を案内する一対のガイドレール部材と、
前記記録媒体収容部における一端部に配され、一端にケーブルが接続され、他端に前記密閉型記録媒体のプラグ部に直接的または間接的に接続されるソケット部を有するレセプタクル部材に対向して配されるコネクタ支持部材と、
一端が前記レセプタクル部材に連結され、他端が前記コネクタ支持部材の第１の開口部の周縁に係合され、前記レセプタクル部材を前記コネクタ支持部材に連結する固定具と、を備え、
前記記録媒体収容部に配される前記密閉型記録媒体のプラグ部の前記レセプタクル部材のソケット部に対する相対位置の偏倚に応じて該レセプタクル部材が前記コネクタ支持部材に対し移動可能とされるように前記固定具の他端が前記第１の開口部に対し隙間をもって配されることを特徴とする記録媒体用ハウジング。
【請求項２】
前記コネクタ支持部材に形成され、前記レセプタクル部材の一端が貫通する第２の開口部と、  
一端が前記レセプタクル部材に固定され、他端が前記第２の開口部を形成する内周面にそれぞれ係合される複数の弾性部材と、をさらに備え、
前記レセプタクル部材が前記コネクタ支持部材に対し相対的に移動可能に支持される
ことを特徴とする請求項１記載の記録媒体用ハウジング。
【請求項３】
前記固定具は、前記コネクタ支持部材の第１の開口部の周縁に係合される弾性変位可能な爪部を共通の円周上に複数個有するペグ部と、該複数個のペグ部の内側に配され、該爪部を該第１の開口部の周縁に対しロック状態またはアンロック状態とするロック／アンロック部材と、から構成されることを特徴とする請求項１記載の記録媒体用ハウジング。
【請求項４】
プラグ部を有する密閉型記録媒体を着脱可能に収容する記録媒体収容部と、
前記記録媒体収容部に相対向して配され、前記密閉型記録媒体の着脱のとき、該密閉型記録媒体を案内する一対のガイドレール部材と、
前記記録媒体収容部における一端部に配され、一端にケーブルが接続され、他端に前記密閉型記録媒体のプラグ部に直接的または間接的に接続されるソケット部を有するレセプタクル部材に対向して配されるコネクタ支持部材と、
前記コネクタ支持部材に形成され、前記レセプタクル部材の一端が貫通する開口部と、
一端が前記レセプタクル部材に固定され、他端が前記開口部を形成する内周面にそれぞれ係合される一対の第１の弾性部材と、
一端が前記レセプタクル部材に固定され、他端が前記コネクタ支持部材における開口部の周縁の端面に係合される一対の第２の弾性部材と、を備え、
前記記録媒体収容部に配される前記密閉型記録媒体のプラグ部の前記レセプタクル部材のソケット部に対する相対位置の偏倚に応じて該レセプタクル部材が前記第１の弾性部材および第２の弾性部材を介して前記コネクタ支持部材に対し移動可能とされることを特徴とする記録媒体用ハウジング。
【請求項５】
プラグ部を有する密閉型記録媒体を着脱可能に収容する記録媒体収容部と、
前記記録媒体収容部に相対向して配され、前記密閉型記録媒体の着脱のとき、該密閉型記録媒体を案内する一対のガイドレール部材と、
前記記録媒体収容部における一端部に配され、一端にケーブルが接続され、他端に前記密閉型記録媒体のプラグ部に直接的または間接的に接続されるソケット部を有するレセプタクル部材に対向して配されるコネクタ支持部材と、
前記コネクタ支持部材に形成され、前記レセプタクル部材の一端が貫通する開口部と、
一端が前記レセプタクル部材に形成され、他端が前記コネクタ支持部材の開口部の周縁に係合される弾性変位可能な爪部を複数個有し、前記レセプタクル部材を前記コネクタ支持部材に連結する一対の固定具と、を備え、
前記記録媒体収容部に配される前記密閉型記録媒体のプラグ部の前記レセプタクル部材のソケット部に対する相対位置の偏倚に応じて該レセプタクル部材が前記爪部を介して前記コネクタ支持部材に対し移動可能とされることを特徴とする記録媒体用ハウジング。
【請求項６】
プラグ部を有する密閉型記録媒体を着脱可能に収容する記録媒体収容部における一端部に配され、一端にケーブルが接続され、他端に該密閉型記録媒体のプラグ部に直接的または間接的に接続されるソケット部を有するレセプタクル部材に対向して配されるコネクタ支持部材と、
一端が前記レセプタクル部材に連結され、他端が前記コネクタ支持部材の開口部の周縁に係合され、前記レセプタクル部材を前記コネクタ支持部材に連結する固定具と、を備え、
前記記録媒体収容部に配される前記密閉型記録媒体のプラグ部の前記レセプタクル部材のソケット部に対する相対位置の偏倚に応じて該レセプタクル部材が前記コネクタ支持部材に対し移動可能とされるように前記固定具の他端が前記開口部に対し隙間をもって配されることを特徴とする位置調節機構。
【発明の詳細な説明】
【技術分野】
【０００１】
本発明は、記録媒体を着脱可能に収容する記録媒体用ハウジング、および、それに用いられる位置調節機構に関する。
【背景技術】
【０００２】
情報通信機器において、記録媒体としてのハードディスクドライブ（ＨＤＤ）または密閉型のハードディスクパック等を筐体内に内蔵するものが実用に供されている。ハードディスクパックにおける一端には、例えば、特許文献１にも示されるように、接続用プラグ（特許文献１においてハードディスク側脱着部とも呼ばれる）が設けられている。接続用プラグとしては、例えば、ＳＡＴＡ規格に準拠し成形された接続用プラグが広く利用されている。
【０００３】
そのような接続用プラグは、所定の基板上に半田付け固定されるベースコネクタに接続される。そのようなベースコネクタは、例えば、特許文献２にも示されるように、接続用プラグが嵌合される嵌合口、および、接続用プラグのパッドと基板の導電層とを電気的に接続する複数個のコンタクトを備えている。各コンタクトは、一端に半田付け固定端子を有している。
【０００４】
【特許文献１】特開２００６−２７８１８６号公報
【特許文献２】特開２００６−２２８６０３号公報
【発明の開示】
【発明が解決しようとする課題】
【０００５】
保守または製造時、上述のようなハードディスクパック等を情報通信機器の筐体内で着脱する場合、例えば、車載情報通信機器内でハードディスクパック等を着脱する場合、比較的狭い空間内での着脱作業は容易に、かつ確実に行なわれることが要求されるので予めハードディスクパック等における接続用プラグのベースコネクタに対する相対位置調整が適切になされていることが必要とされる。
【０００６】
しかしながら、特許文献１にも示されるような、従来のベースコネクタと接続用プラグとは、互いの相対位置を調整する機構を備えていないものなので製造誤差に起因した相対的な位置ずれによってベースコネクタおよび接続用プラグの接続が不確実となる虞がある。また、従来のベースコネクタにおいては、ベースコネクタが固定される基板が必要とされるので製造コストも嵩むという問題点も伴う。
【０００７】
以上の問題点を考慮し、本発明は、記録媒体を着脱可能に収容する記録媒体用ハウジング、および、それに用いられる位置調節機構であって、ハードディスクパック等に設けられる接続プラグの接続されるべきコネクタに対する相対位置の位置調節をすることができ、しかも、製造コストを低減することができる記録媒体用ハウジング、および、それに用いられる位置調節機構を提供することを目的とする。
【課題を解決するための手段】
【０００８】
上述の目的を達成するために、本発明に係る記録媒体用ハウジングは、プラグ部を有する密閉型記録媒体を着脱可能に収容する記録媒体収容部と、記録媒体収容部に相対向して配され、密閉型記録媒体の着脱のとき、密閉型記録媒体を案内する一対のガイドレール部材と、記録媒体収容部における一端部に配され、一端にケーブルが接続され、他端に密閉型記録媒体のプラグ部に直接的または間接的に接続されるソケット部を有するレセプタクル部材に対向して配されるコネクタ支持部材と、一端がレセプタクル部材に連結され、他端がコネクタ支持部材の第１の開口部の周縁に係合され、レセプタクル部材をコネクタ支持部材に連結する固定具と、を備え、記録媒体収容部に配される密閉型記録媒体のプラグ部のレセプタクル部材のソケット部に対する相対位置の偏倚に応じてレセプタクル部材がコネクタ支持部材に対し移動可能とされるように固定具の他端が第１の開口部に対し隙間をもって配されることを特徴とする。
【０００９】
また、本発明に係る位置調節機構は、プラグ部を有する密閉型記録媒体を着脱可能に収容する記録媒体収容部における一端部に配され、一端にケーブルが接続され、他端に密閉型記録媒体のプラグ部に直接的または間接的に接続されるソケット部を有するレセプタクル部材に対向して配されるコネクタ支持部材と、一端がレセプタクル部材に連結され、他端がコネクタ支持部材の開口部の周縁に係合され、レセプタクル部材をコネクタ支持部材に連結する固定具と、を備え、記録媒体収容部に配される密閉型記録媒体のプラグ部のレセプタクル部材のソケット部に対する相対位置の偏倚に応じてレセプタクル部材がコネクタ支持部材に対し移動可能とされるように固定具の他端が開口部に対し隙間をもって配されることを特徴とする。
【発明の効果】
【００１０】
以上の説明から明らかなように、本発明に係る記録媒体用ハウジング、および、それに用いられる位置調節機構によれば、記録媒体収容部に配される密閉型記録媒体のプラグ部のレセプタクル部材のソケット部に対する相対位置の偏倚に応じてレセプタクル部材がコネクタ支持部材に対し移動可能とされるように固定具の他端が第１の開口部に対し隙間をもって配されるので例えば、ハードディスクパック等に設けられる接続プラグの接続されるべきコネクタに対する相対位置の位置調節をすることができ、しかも、レセプタクル部材がケーブルにより接続されるので製造コストを低減することができる。
【発明を実施するための最良の形態】
【００１１】
図３は、本発明に係る記録媒体用ハウジングの一例の外観を、その内側に収容されるディスクパックとともに示す。
【００１２】
図３において、記録媒体用ハウジングは、例えば、車載用情報通信機器の内部に配置される。記録媒体用ハウジング１２は、密閉型記録媒体としてのディスクパック１０を図４に示される矢印の示す方向に沿って着脱可能に収容する記録媒体収容部１２Ａを有している。記録媒体収容部１２Ａは、その底部および側面部を形成する底板部１２Ｂと、その側面部に固定され、その長手方向に沿って延びるガイドレール部１２ＧＬおよび１２ＧＲと、ガイドレール部１２ＧＬおよび１２ＧＲの一端に対して直交するように配され、後述するレセプタクル部材１６を支持するコネクタ支持部材１４とにより形成されている。
【００１３】
ディスクパック１０は、その内部に記録媒体として所定の記憶容量を有する円盤状の磁気記録媒体、および、ドライバ等を内蔵している。ディスクパック１０における一端側の端面には、後述するレセプタクル部材１６のソケット部が着脱可能に係合されるプラグ部１０ＰＬが設けられている。プラグ部１０ＰＬは、例えば、ＳＡＴＡ規格に準拠した間隔およびサイズの複数のコンタクトパッドを有している。複数のコンタクトパッドは、隔壁により、二つの群に区切られている。また、ディスクパック１０の両側面部には、それぞれ、上述のガイドレール部１２ＧＬおよび１２ＧＲの内周面に従い案内されるインナーレール１０Ｒおよび１０Ｌが固定されている。インナーレール１０Ｒおよび１０Ｌにおける端部は、ガイドレール部１２ＧＬおよび１２ＧＲの一端に対向するように屈曲されている。インナーレール１０Ｒおよび１０Ｌのその各端部には、後述する小ねじＢｓ１が挿入される孔１０ａが形成されている。
【００１４】
底板部１２Ｂの両側面部には、それぞれ、互いに略平行となるように、ガイドレール部１２ＧＬおよび１２ＧＲが固定されている。これにより、ガイドレール部１２ＧＬおよび１２ＧＲ相互間には、開口部が形成されることとなる。
【００１５】
また、ガイドレール部１２ＧＬおよび１２ＧＲの一端には、それぞれ、底板部１２Ｂに支持されているコネクタ支持部材１４の両端部が向かい合っている。
【００１６】
一方、ガイドレール部１２ＧＬおよび１２ＧＲの他端には、それぞれ、上述のインナーレール１０Ｒおよび１０Ｌの孔１０ａを介して小ねじＢｓ１がねじ込まれる雌ねじ１２ａが形成されている。また、底板部１２Ｂにおけるガイドレール部１２ＧＬおよび１２ＧＲの一端側には、後述する小ねじＢｓ２がねじ込まれる雌ねじ（不図示）が形成されている。
【００１７】
これにより、記録媒体収容部１２Ａは、底板部１２Ｂの表面とガイドレール部１２ＧＬおよび１２ＧＲの内周面との間に形成されることとなる。また、ディスクパック１０は、記録媒体収容部１２Ａ内に図４の矢印の示す方向に沿って底板部１２Ｂの表面とガイドレール部１２ＧＬおよび１２ＧＲの内周面との間を通過して挿入され記録媒体収容部１２Ａ内に配される。従って、記録媒体収容部１２Ａ内に配されたディスクパック１０は、小ねじＢｓ１および雌ねじ１２ａにより、ガイドレール部１２ＧＬおよび１２ＧＲに固定されることとなる。
【００１８】
中央に長孔１４Ａを有するコネクタ支持部材１４は、図１および図２に拡大されて示されるように、その両端近傍に小ねじＢｓ２が挿入される孔１４ａを有している。これにより、コネクタ支持部材１４は、小ねじＢｓ２が孔１４ａを介して底板部１２Ｂにおける雌ねじにねじ込まれることにより、底板部１２Ｂに固定されることとなる。その際、コネクタ支持部材１４の長孔１４Ａの中心軸線Ｏ（図１参照）とガイドレール部１２ＧＬおよび１２ＧＲ相互間における中央を通る直線Ｌｏとは略一致するように設定されている。また、コネクタ支持部材１４の長孔１４Ａと孔１４ａとの間にそれぞれ、後述する固定具２４のペグ部２４が挿入される孔１４ｂが形成されている。
【００１９】
樹脂材料で成形されるレセプタクル部材１６は、図５に拡大されて示されるように、後述するケーブル１８の一端をレセプタクル部材１６内のコンタクト収容部（不図示）内に着脱可能に固定するスライダー部材１６Ｋと、上述のディスクパック１０のプラグ部１０ＰＬ内に接続される雄型のソケット部１６ＲＨと、ソケット部１６ＲＨに隣接してコンタクト収容部の外郭部を形成するフランジ部１６Ｆとを含んで構成されている。
【００２０】
ケーブル１８は、例えば、フラットケーブル（ＦＦＣ）、または、フレキシブル配線基板（ＦＰＣ；ｆｌｅｘｉｂｌｅ  ｐｒｉｎｔｅｄ  ｃｉｒｃｕｉｔ）とされ、コンタクト（不図示）に接続されるコンタクトパッド群が一端に形成されている。
【００２１】
スライダー部材１６Ｋは、コンタクト収容部に対して摺動可能に支持されており、ケーブル１８の一端を着脱可能な状態とするアンロック位置と、ケーブル１８の一端をコンタクトに対し電気的に接続する状態を保持するロック位置とをとるものとされる。なお、図５においては、スライダー部材１６Ｋがロック位置とされる状態を示す。
【００２２】
ソケット部１６ＲＨは、図６に拡大されて示されるように、後述のフランジ部１６Ｆの端面に対して略垂直に突出し、プラグ部１０ＰＬのコンタクトパッド群が挿入される細長いスリットを有している。そのスリット内には、コンタクト端子２６ａｉ（ｉ＝１〜ｎ，ｎは正の整数）の一端が露出している。そのスリット内は、隔壁により、二つの部分に区切られている。その各部分には、コンタクト端子２６ａｉが、プラグ部１０ＰＬのコンタクトパッド群の配列に対応した所定の間隔で配列されている。
【００２３】
フランジ部１６Ｆの端面におけるソケット部１６ＲＨの周囲には、後述する板ばね２８がそれぞれ、挿入される孔１６ｄが形成されている。孔１６ｄは、図７に示されるように、フランジ部１６Ｆを貫通している。孔１６ｄは、４箇所に形成されており、例えば、ソケット部１６ＲＨにおける上述の隔壁の上方および下方となる位置、ソケット部１６ＲＨの両側部に隣接した位置に形成されている。
【００２４】
スライダー部材１６Ｋの端部とフランジ部１６Ｆの端面との間における上方側の孔１６ｄの開口端には、図１０（Ａ）に拡大されて示されるように、金属製の板ばね２８の一端が露出している。板ばね２８の一端の下方となる位置には、逃げとしての凹部１６Ｄが形成されている。なお、図７に拡大されて示されるように、下方側の孔１６ｄ（不図示）においても板ばね２８の一端が露出している。斯かる板ばね２８の一端の下方となる位置には、凹部１６Ｄが形成されている。また、図６において左右方向の配置される板ばね２８の下方となる位置にも、逃げとしての凹部１６Ｄが形成されている。
【００２５】
板ばね２８は、図１０（Ｂ）に示されるように、折り重ねられるように形成され孔１６ｄに挿入される固定部と、固定部の一端に連なり張り出すように形成される可動片部とから構成されている。なお、ソケット部１６ＲＨの両側部にそれぞれ隣接した位置における２個の板ばね２８の可動片部は、それぞれ、ソケット部１６ＲＨの両側部に対し離隔する方向に張り出している。
【００２６】
フランジ部１６Ｆの両端におけるスライダー部材１６Ｋ側には、レセプタクル部材１６をコネクタ支持部材１４に対し固定するための固定具２０が一対設けられている。
【００２７】
固定具２０は、フランジ部１６Ｆの両端に一体に形成されるペグ部２４と、ペグ部２４内に挿入され、ペグ部の各爪部の先端をコネクタ支持部材１４の孔１４ｂの周縁に対し選択的にロック状態またはアンロック状態とするロック／アンロック部材２２とから構成されている。
【００２８】
ペグ部２４は、図１９に拡大されて示されるように、４本の爪部２４Ｎを有している。４本の爪部２４Ｎは、フランジ部１６Ｆの孔１６Ｈの内側に所定の間隔をもって形成される円筒部の一端に一体に円周方向に均等分割されて形成される。各爪部２４Ｎは、半径方向に弾性変位可能とされ、図８に示されるように、孔１６Ｈから突出するように形成されている。その円筒部は、図２１（Ａ）に拡大されて示されるように、孔１６Ｈの周縁と２箇所で連結されている。その連結部分には、溝１６Ｇａおよび１６Ｇｂが斜めに形成されている。上述の円筒部内には、後述するロック／アンロック部材２２の外周面に係合される突起部２４Ｐ（図１２参照）が形成されている。
【００２９】
樹脂製のロック／アンロック部材２２は、図２０に拡大されて示されるように、複数の環状の隆起部２２Ｒ１，２２Ｒ２，および、２２Ｒ３を有する円柱状の軸部２２Ｓと、軸部２２Ｓの一端に同心円状に形成されるフランジ部２２Ｆとから構成されている。
【００３０】
軸部２２Ｓの直径は、上述のペグ部２４における円筒部の内径よりも若干小に設定されている。これにより、軸部２２Ｓは、ペグ部２４における円筒部内を摺動可能に支持されることとなる。
【００３１】
軸部２２Ｓの外周面における他端近傍に、隆起部２２Ｒ１，２２Ｒ２が所定の間隔をもって隣接して形成されている。また、隆起部２２Ｒ３が、フランジ部２２Ｆに隣接して外周面上に形成されている。さらに、軸部２２Ｓの外周面における隆起部２２Ｒ１，２２Ｒ２，および、２２Ｒ３を横切り、軸部２２Ｓの軸線方向に沿って延びる一対の隆起部２２Ｐが相対向して形成されている。隆起部２２Ｐは、上述の溝１６Ｇａおよび１６Ｇｂに係合される。これにより、ロック／アンロック部材２２の自転および偏りが規制されるとともに、ロック／アンロック部材２２の円滑な摺動が得られる。
【００３２】
固定具２０により、レセプタクル部材１６をコネクタ支持部材１４に固定するにあたっては、先ず、図１１および図１２に示されるように、ペグ部２４の爪部２４Ｎの先端がコネクタ支持部材１４の孔１４ｂを貫通するまで爪部２４Ｎが挿入される。
【００３３】
次に、ロック／アンロック部材２２の軸部２２Ｓの先端が、図８および図２１（Ａ）に示されるように、ソケット部１６ＲＨ側から円筒部内の所定位置まで挿入される。これにより、軸部２２Ｓの隆起部２２Ｒ１と隆起部２２Ｒ２との間の部分が、円筒部内の突起部２４Ｐ（図１２参照）に係止される。その結果、ロック／アンロック部材２２は、所謂、仮ロック状態とされる。ロック／アンロック部材２２がペグ部２４内に保持されるので組み立て途中で脱落して紛失する虞がない。また、ロック／アンロック部材２２がペグ部２４内に保持された状態でレセプタクル部材１６を個別に包装することも可能となるので物流におけるレセプタクル部材１６の荷姿も簡便化される。
【００３４】
続いて、ロック／アンロック部材２２の先端が、図１６および図２１（Ｂ）に拡大されて示されるように、さらに押し込まれる。これにより、爪部２４Ｎの先端が孔１４ｂの周縁から離脱する方向、即ち、爪部２４Ｎの先端における互いに半径方向に沿って近接する方向の変位が規制されるので衝撃等がレセプタクル部材１６に作用した場合であってもレセプタクル部材１６が脱落する虞がない。また、ロック／アンロック部材２２における隆起部２２Ｒ３が上述の円筒部内の突起部２４Ｐ（図１２参照）に係止される。これにより、ロック／アンロック部材２２は、所謂、ロック状態とされる。その際、図１６に示されるように、爪部２４Ｎの外周面とコネクタ支持部材１４の孔１４ｂの内周面との間に、所定の隙間ＣＬが形成される。
【００３５】
斯かる構成において、ディスクパック１０が記録媒体収容部１２Ａに装着される場合、ディスクパック１０がそのプラグ部１０ＰＬ側からガイドレール部１２ＧＬおよび１２ＧＲと底板部１２Ｂとの間に挿入され、ガイドレール部１２ＧＬおよび１２Ｇの内周面に案内されながら所定の位置まで押し込まれる。これにより、レセプタクル部材１６のソケット部１６ＲＨがプラグ部１０ＰＬ内に嵌合される。
【００３６】
その際、図１５、図１７および図１８に示されるように、製造誤差等に起因してプラグ部１０ＰＬのレセプタクル部材１６のソケット部１６ＲＨに対する相対位置が図１７に示されるＺ座標軸に沿って若干低い状態でソケット部１６ＲＨがプラグ部１０ＰＬ内に挿入される場合、ソケット部１６ＲＨが、プラグ部１０ＰＬに追従するように固定具２０を伴って下側の板ばね２８の付勢力に抗して矢印の示す方向にコネクタ支持部材１４に対し押し下げられる。板ばね２８の先端は、図１５に示されるように、凹部１６Ｄ内に待避せしめられる。これにより、プラグ部１０ＰＬのレセプタクル部材１６のソケット部１６ＲＨに対する相対位置が共通の中心軸線上にあるように位置調節されることとなる。
【００３７】
一方、プラグ部１０ＰＬのレセプタクル部材１６のソケット部１６ＲＨに対する相対位置が、図１７に示されるＸ座標軸に沿って偏倚がある場合においても、図１７における左右方向の板ばね２８の付勢力に抗してレセプタクル部材１６のソケット部１６ＲＨがＸ座標軸に沿ってコネクタ支持部材１４に対し移動可能とされる。これにより、プラグ部１０ＰＬのレセプタクル部材１６のソケット部１６ＲＨに対する相対位置が共通の中心軸線上にあるように位置調節されることとなる。従って、位置調節機構は、レセプタクル部材１６における４個の板ばね２８、レセプタクル部材１６における凹部１６Ｄ，固定具２０、ペグ部２４の外周面とコネクタ支持部材１４の孔１４ｂの内周面との間の隙間ＣＬとを含んで形成されることとなる。
【００３８】
図２２は、本発明に係る記録媒体用ハウジングの一例に用いられるレセプタクル部材の他の一例を示す。
【００３９】
図５に示される例においては、固定具２０を備えるものとされるが、その代わりに、図２２に示される例においては、上述のような位置調節機構の一部を構成するとともに、固定具の機能を有する板ばね２７を備えるものとされる。なお、図２２乃至図２９（Ａ）および（Ｂ）において、図１に示される例における構成要素と同一とされる構成要素について同一の符号を付して示し、その重複説明を省略する。
【００４０】
樹脂材料で成形されるレセプタクル部材３６は、図２２に拡大されて示されるように、ケーブル１８の一端をレセプタクル部材３６内のコンタクト収容部（不図示）内に着脱可能に固定するスライダー部材３６Ｋと、上述のディスクパック１０のプラグ部１０ＰＬ内に接続される雄型のソケット部３６ＲＨと、ソケット部３６ＲＨに隣接してコンタクト収容部の外郭部を形成するフランジ部３６Ｆとを含んで構成されている。
【００４１】
スライダー部材３６Ｋは、コンタクト収容部に対して摺動可能に支持されており、ケーブル１８の一端を着脱可能な状態とするアンロック位置と、ケーブル１８の一端をコンタクトに対し電気的に接続する状態を保持するロック位置とをとるものとされる。なお、図２２においては、スライダー部材３６Ｋのロック位置の状態を示す。
【００４２】
ソケット部３６ＲＨは、図２４に拡大されて示されるように、後述のフランジ部３６Ｆの端面に対して略垂直に突出し、プラグ部１０ＰＬのコンタクトパッド群が挿入される細長いスリットを有している。そのスリット内には、コンタクト端子２６ａｉ（ｉ＝１〜ｎ，ｎは正の整数）の一端が露出している。コンタクト端子２６ａｉは、スリット内は、二つの部分に隔壁により区切られている。その各部分には、コンタクト端子２６ａｉが、プラグ部１０ＰＬのコンタクトパッド群の配列に対応した所定の間隔で配列されている。
【００４３】
フランジ部３６Ｆの端面におけるソケット部３６ＲＨの周囲には、後述する板ばね２８および板ばね２７がそれぞれ、挿入される孔３６ｄおよび３６ｅが形成されている。孔３６ｄは、図２５に示されるように、フランジ部３６Ｆを貫通している。孔３６ｄは、２箇所に形成されており、例えば、ソケット部３６ＲＨにおける上述の隔壁の上方および下方となる位置に形成されている。また、孔３６ｅは、図２８に示されるように、ソケット部３６ＲＨの両側部に隣接した位置に形成されており、図２９（Ｂ）に示されるように、フランジ部３６Ｆを貫通している。
【００４４】
スライダー部材３６Ｋの端部とフランジ部３６Ｆの端面との間における上方側の孔３６ｄの開口端には、金属製の板ばね２８の一端が露出している。板ばね２８の一端の下方となる位置には、逃げとしての凹部３６Ｄが形成されている。なお、図２５に示されるように、下方側の孔３６ｄにおいても板ばね２８の一端が露出している。斯かる板ばね２８の一端の下方となる位置には、凹部３６Ｄが形成されている。また、図２４において左右方向の配置される板ばね２７の側方となる位置にも、図２３に拡大されて示されるように、逃げとしての凹部３６Ｄがスライダー部材３６Ｋに形成されている。
【００４５】
板ばね２７は、図２３および図２７に拡大されて示されるように、折り重ねられるように形成され孔３６ｅに挿入される固定部と、固定部の一端に連なり張り出すように形成される可動片部とから構成されている。なお、ソケット部３６ＲＨの両側部にそれぞれ隣接した位置における２個の板ばね２７の可動片部は、それぞれ、図２３に示されるように、スライダー部材３６Ｋの両側部に対し離隔する方向に張り出している。また、その可動片部における固定部との境界部分の寸法は、図２７および図２９（Ｂ）に示されるように、可動片部がコネクタ支持部材１４の長孔１４Ａの周縁に係合されるようにコネクタ支持部材１４の板厚と略等しく設定されている。
【００４６】
斯かる構成において、ディスクパック１０が記録媒体収容部１２Ａに装着される場合、ディスクパック１０がそのプラグ部１０ＰＬ側からガイドレール部１２ＧＬおよび１２ＧＲと底板部１２Ｂとの間に挿入され、ガイドレール部１２ＧＬおよび１２Ｇの内周面に案内されながら所定の位置まで押し込まれる。これにより、レセプタクル部材３６のソケット部３６ＲＨがプラグ部１０ＰＬ内に嵌合される。
【００４７】
その際、例えば、製造誤差等に起因してプラグ部１０ＰＬのレセプタクル部材３６のソケット部３６ＲＨに対する相対位置が図２８に示されるＺ座標軸に沿って若干低い状態でソケット部３６ＲＨがプラグ部１０ＰＬ内に挿入される場合、ソケット部３６ＲＨが、プラグ部１０ＰＬに追従するように下側の板ばね２８の付勢力に抗してコネクタ支持部材１４に対し押し下げられる。板ばね２８の先端は、凹部３６Ｄ内に待避せしめられる。これにより、プラグ部１０ＰＬのレセプタクル部材３６のソケット部３６ＲＨに対する相対位置が共通の中心軸線上にあるように位置調節されることとなる。
【００４８】
一方、プラグ部１０ＰＬのレセプタクル部材３６のソケット部３６ＲＨに対する相対位置が、図２８に示されるＸ座標軸に沿って偏倚がある場合においても、図２８における左右方向の板ばね２７の付勢力に抗してレセプタクル部材３６のソケット部３６ＲＨがＸ座標軸に沿ってコネクタ支持部材１４に対し移動可能とされる。これにより、プラグ部１０ＰＬのレセプタクル部材３６のソケット部３６ＲＨに対する相対位置が共通の中心軸線上にあるように位置調節されることとなる。従って、位置調節機構は、レセプタクル部材３６における板ばね２８、板ばね２７、レセプタクル部材３６における凹部３６Ｄ，スライダー部材３６Ｋの凹部３６Ｄにより形成されることとなる。
【００４９】
図３０は、本発明に係る記録媒体用ハウジングの一例に用いられるレセプタクル部材のさらなる他の一例を示す。
【００５０】
図５に示される例においては、ロック／アンロック部材２２と、ペグ部２４とから構成されている固定具２０を備えるものとされるが、その代わりに、図３０に示される例においては、上述の板ばね２８を必要とすることなく、しかも、ロック／アンロック部材２２のような部材を不要とした固定具４８を備えるものとされる。なお、図３０乃至図３６において、図１に示される例における構成要素と同一とされる構成要素について同一の符号を付して示し、その重複説明を省略する。
【００５１】
図３０において、樹脂材料で成形されるレセプタクル部材４６は、ケーブル１８の一端をレセプタクル部材４６内のコンタクト収容部（不図示）内に着脱可能に固定するスライダー部材４６Ｋと、上述のディスクパック１０のプラグ部１０ＰＬ内に接続される雄型のソケット部４６ＲＨと、ソケット部４６ＲＨに隣接してコンタクト収容部の外郭部を形成するフランジ部４６Ｆとを含んで構成されている。
【００５２】
スライダー部材４６Ｋは、コンタクト収容部に対して摺動可能に支持されており、ケーブル１８の一端を着脱可能な状態とするアンロック位置と、ケーブル１８の一端をコンタクトに対し電気的に接続する状態を保持するロック位置とをとるものとされる。なお、図３０においては、スライダー部材４６Ｋのロック位置の状態を示す。
【００５３】
ソケット部４６ＲＨは、図３２に示されるように、後述のフランジ部４６Ｆの端面に対して略垂直に突出し、プラグ部１０ＰＬのコンタクトパッド群が挿入される細長いスリットを有している。そのスリット内には、コンタクト端子２６ａｉ（ｉ＝１〜ｎ，ｎは正の整数）の一端が露出している。コンタクト端子２６ａｉは、スリット内は、二つの部分に隔壁により区切られている。その各部分には、コンタクト端子２６ａｉが、プラグ部１０ＰＬのコンタクトパッド群の配列に対応した所定の間隔で配列されている。
【００５４】
フランジ部４６Ｆの両端におけるスライダー部材４６Ｋ側には、レセプタクル部材４６をコネクタ支持部材１４に対し固定するための固定具４８が一対設けられている。
【００５５】
各固定具４８は、フランジ部４６Ｆの両端に一体に形成される３本の爪部からなるペグ部として構成されている。
【００５６】
３本の爪部４８Ｎのうちの２本の爪部４８Ｎは、フランジ部４６Ｆの孔４６Ｈの内側に所定の間隔をもって図３０に示されるＺ座標軸に沿って相対向して形成され、残りの爪部４８Ｎは、２本の爪部４８Ｎと共通の円周上であって２本の爪部４８Ｎの相互間に図３０に示されるＸ座標軸に沿って張り出すように一体に形成されている。各爪部４８Ｎの先端部は、半径方向に弾性変位可能とされ、孔４６Ｈから突出するように形成されている。各爪部４８Ｎの先端部には、図３２に拡大されて示されるように、レセプタクル部材４６がコネクタ支持部材１４に固定される場合、コネクタ支持部材１４の端面における長孔１４Ａの周縁に係止される係止部４８Ｋと、係止部４８Ｋに連なりその長孔１４Ａの内周面に当接する隆起部４８Ｒとが形成されている。各爪部４８Ｎの基端部は、図３２に示されるように、フランジ部４６Ｆと一体に形成されている。
【００５７】
固定具４８により、図３３および図３４に示されるように、レセプタクル部材４６をコネクタ支持部材１４に固定するにあたっては、図３５および図３６に示されるように、各爪部４８Ｎの先端部がコネクタ支持部材１４の孔１４Ａを貫通するまで各爪部４８Ｎが、それ自体の弾性力に抗して互いに近接する方向に若干撓んだ状態で挿入される。これにより、爪部４８Ｎの係止部４８Ｋがコネクタ支持部材１４の端面における長孔１４Ａの周縁に係止され、かつ、その復元力に基づく所定の圧力で隆起部４８Ｒが長孔１４Ａの内周面に当接されるのでレセプタクル部材４６がコネクタ支持部材１４に固定される。その際、各爪部４８Ｎにおける隆起部４８Ｒから基端部までの部分と長孔１４Ａの内周面との間に、所定の隙間ＣＬが形成される。
【００５８】
斯かる構成において、ディスクパック１０が記録媒体収容部１２Ａに装着される場合、ディスクパック１０がそのプラグ部１０ＰＬ側からガイドレール部１２ＧＬおよび１２ＧＲと底板部１２Ｂとの間に挿入され、ガイドレール部１２ＧＬおよび１２Ｇの内周面に案内されながら所定の位置まで押し込まれる。これにより、レセプタクル部材４６のソケット部４６ＲＨがプラグ部１０ＰＬ内に嵌合される。
【００５９】
その際、例えば、製造誤差等に起因してプラグ部１０ＰＬのレセプタクル部材４６のソケット部４６ＲＨに対する相対位置が図３０に示されるＺ座標軸に沿って若干低い状態でソケット部４６ＲＨがプラグ部１０ＰＬ内に挿入される場合、ソケット部４６ＲＨが、プラグ部１０ＰＬに追従するように爪部４８Ｎの弾性力に抗してコネクタ支持部材１４に対し押し下げられる。これにより、爪部４８Ｎは、その下側の隙間ＣＬが減少する方向に偏倚され、プラグ部１０ＰＬのレセプタクル部材４６のソケット部４６ＲＨに対する相対位置が共通の中心軸線上にあるように位置調節されることとなる。
【００６０】
一方、プラグ部１０ＰＬのレセプタクル部材４６のソケット部４６ＲＨに対する相対位置においても、図３０に示されるＸ座標軸に沿って偏倚がある場合においても、爪部４８Ｎの弾性力に抗してレセプタクル部材４６のソケット部４６ＲＨがＸ座標軸に沿ってコネクタ支持部材１４に対し移動可能とされる。これにより、プラグ部１０ＰＬのレセプタクル部材４６のソケット部４６ＲＨに対する相対位置が共通の中心軸線上にあるように位置調節されることとなる。従って、位置調節機構は、レセプタクル部材４６における固定具４８、および、上述の所定の隙間ＣＬにより形成されることとなる。
【００６１】
なお、図２、図２２、および、図３０にそれぞれ、示される本発明に係る記録媒体用ハウジングの一例においては、レセプタクル部材１６のソケット部１６ＲＨは、直接的にディスクパック１０のプラグ１０ＰＬに接続されているが、斯かる例に限られることなく、例えば、図３８に示されるように、ソケット部１６ＲＨとプラグ１０ＰＬとが、レセプタクル部材１６のソケット部１６ＲＨとディスクパック１０のプラグ１０ＰＬとの間に配されるアダプタ６０を介して接続されてもよい。これにより、ディスクパック１０のプラグ１０ＰＬ自体の挿抜回数が低減されるのでディスクパック１０のプラグ１０ＰＬ自体の寿命が延びることとなる。
【００６２】
なお、図３７および図３８においては、図２に示される例における構成要素と同一とされる構成要素について同一の符号を付して示し、その重複説明を省略する。
【００６３】
アダプタ６０は、レセプタクル部材１６のソケット部１６ＲＨが接続される一方の接続端部に、図４に示されるディスクパック１０のプラグ１０ＰＬと同様な構成を有するプラグ６０ＰＬを備えている。また、アダプタ６０は、ディスクパック１０のプラグ１０ＰＬが接続される他方の接続端部に、図３８に示されるように、レセプタクル部材１６のソケット部１６ＲＨと同様な構成を有するソケット部６０ＲＨを備えている。
【図面の簡単な説明】
【００６４】
【図１】本発明に係る記録媒体用ハウジングの一例に用いられるレセプタクル部材およびコネクタ支持部材を示す斜視図である。
【図２】図１に示される例をそのソケット部側から見た斜視図である。
【図３】本発明に係る記録媒体用ハウジングの一例の外観をディスクパックとともに示す斜視図である。
【図４】図３に示される記録媒体用ハウジングの一例におけるディスクパックの着脱状態の説明に供される斜視図である。
【図５】図１に示される例におけるレセプタクル部材を示す斜視図である。
【図６】図５に示される例におけるソケット部側から見た正面図である。
【図７】図６におけるＶＩＩ−ＶＩＩ線に沿って示される断面図である。
【図８】図６におけるＶＩＩＩ−ＶＩＩＩ線に沿って示される断面図である。
【図９】図５に示される例におけるスライダー部材側から見た正面図である。
【図１０】（Ａ）は、図５に示される例における一部を拡大して示す斜視図であり、（Ｂ）は、（Ａ）に示される部分をさらに拡大して示す斜視図である。
【図１１】図１に示される例において、ロック／アンロック部材を外した状態でソケット部側から見た正面図である。
【図１２】図１１におけるＸＩＩ−ＸＩＩ線に沿って示される断面図である。
【図１３】図１に示される例におけるソケット部側から見た正面図である。
【図１４】図１３におけるＸＩＶ−ＸＩＶ線に沿って示される断面図である。
【図１５】図１に示される例における動作説明に供される断面図である。
【図１６】図１３におけるＸＶＩ−ＸＶＩ線に沿って示される断面図である。
【図１７】図１に示される例における動作説明に供される正面図である。
【図１８】図１７におけるＸＶＩＩＩ−ＸＶＩＩＩ線に沿って示される断面図である。
【図１９】図１に示される例におけるペグ部を部分的に拡大して示す斜視図である。
【図２０】図１に示される例におけるロック／アンロック部材を示す斜視図である。
【図２１】（Ａ）および（Ｂ）は、それぞれ、図１に示される例における固定具の動作説明に供される斜視図である。
【図２２】本発明に係る記録媒体用ハウジングの一例に用いられるレセプタクル部材の他の例を示す斜視図である。
【図２３】図２２における一部を拡大して示す斜視図である。
【図２４】図２２に示される例においてソケット部側から見た正面図である。
【図２５】図２４におけるＸＸＶ−ＸＸＶ線に沿って示される断面図である。
【図２６】図２２に示されるレセプタクル部材がコネクタ支持部材に固定された状態を示す斜視図である。
【図２７】図２６における一部を拡大して示す斜視図である。
【図２８】図２６に示される例における正面図である。
【図２９】（Ａ）は、図２８におけるＸＸＶＩＩＩＡ−ＸＸＶＩＩＩＡ線に沿って示される断面図であり、（Ｂ）は、図２８におけるＸＸＶＩＩＩＢ−ＸＸＶＩＩＩＢ線に沿って示される断面図である。
【図３０】本発明に係る記録媒体用ハウジングの一例に用いられるレセプタクル部材のさらなる他の例を示す斜視図である。
【図３１】図３０に示される例における正面図である。
【図３２】図３１におけるＸＸＸＩＩ−ＸＸＸＩＩ線に沿って示される断面図である。
【図３３】図３０に示されるレセプタクル部材がコネクタ支持部材に固定された状態を示す斜視図である。
【図３４】図３３に示される例における正面図である。
【図３５】図３４におけるＸＸＸＶ−ＸＸＸＶ線に沿って示される断面図である。
【図３６】図３３に示される例における一部を拡大して示す斜視図である。
【図３７】本発明に係る記録媒体用ハウジングの一例において用いられるアダプタをディスクパックとともに示す斜視図である。
【図３８】本発明に係る記録媒体用ハウジングの一例において用いられるアダプタをレセプタクル部材のソケット部とともに示す斜視図である。
【符号の説明】
【００６５】
１０    ディスクパック
１０ＰＬ    プラグ部
１２    記録媒体用ハウジング
１２ＧＲ、１２ＧＬ    ガイドレール
１４    コネクタ支持部材
１４Ａ、１４ｂ    孔
１６、３６、４６    レセプタクル部材
１６ＲＨ，３６ＲＨ，４６ＲＨ    ソケット部
１８    ケーブル
２０、４８    固定具
２２    ロック／アンロック部材
２６ａｉ    コンタクト端子
２７、２８    板ばね
ＣＬ    隙間
【図１】
0004992736.tif 000002
【図２】
0004992736.tif 000003
【図３】
0004992736.tif 000004
【図４】
0004992736.tif 000005
【図５】
0004992736.tif 000006
【図６】
0004992736.tif 000007
【図７】
0004992736.tif 000008
【図８】
0004992736.tif 000009
【図９】
0004992736.tif 000010
【図１０】
0004992736.tif 000011
【図１１】
0004992736.tif 000012
【図１２】
0004992736.tif 000013
【図１３】
0004992736.tif 000014
【図１４】
0004992736.tif 000015
【図１５】
0004992736.tif 000016
【図１６】
0004992736.tif 000017
【図１７】
0004992736.tif 000018
【図１８】
0004992736.tif 000019
【図１９】
0004992736.tif 000020
【図２０】
0004992736.tif 000021
【図２１】
0004992736.tif 000022
【図２２】
0004992736.tif 000023
【図２３】
0004992736.tif 000024
【図２４】
0004992736.tif 000025
【図２５】
0004992736.tif 000026
【図２６】
0004992736.tif 000027
【図２７】
0004992736.tif 000028
【図２８】
0004992736.tif 000029
【図２９】
0004992736.tif 000030
【図３０】
0004992736.tif 000031
【図３１】
0004992736.tif 000032
【図３２】
0004992736.tif 000033
【図３３】
0004992736.tif 000034
【図３４】
0004992736.tif 000035
【図３５】
0004992736.tif 000036
【図３６】
0004992736.tif 000037
【図３７】
0004992736.tif 000038
【図３８】
0004992736.tif 000039